(57)【要約】【課題】スラントエンジンに搭載しても搭載性を損なうことのない、コンパクトにレゾネータを装着することができる吸気装置を提供する。【解決手段】ミドルシェル２の上部にアッパシェル３を溶着することによりサージタンク４および吸気管５を形成し、ミドルシェル２の下部にロワシェル７を溶着することにより連通管８および容積室９とで構成されるレゾネータ１０を形成するとともに、サージタンク４とレゾネータ１０とを連通する連通路１２に設けられた開閉弁１３により連通路を開閉するようにしたので、レゾネータ１０をコンパクトに収納することができるとともに、レゾネータ１０が不要な場合は溶着工程を廃止することによりレゾネータ１０を容易に省くことができ、軽量化、低コスト化が可能となる。【選択図】　　　　　図１
2004044562.tif 000002
【特許請求の範囲】
【請求項１】
アッパシェルおよびロワシェルならびにミドルシェルの３ピースから成る吸気装置であって、前記ミドルシェルの上部に前記アッパシェルを溶着することによりサージタンクおよび吸気管を形成し、前記ミドルシェルの下部に前記ロワシェルを溶着することにより連通管および容積室とで構成されるレゾネータを形成するとともに、前記サージタンクと前記レゾネータとを連通する連通路に設けられた開閉弁により前記連通路を開閉するようにしたことを特徴とする内燃機関の吸気装置。
【発明の詳細な説明】
【０００１】
【発明の属する技術分野】
本発明は内燃機関の吸気装置に関し、詳しくは、スラントエンジンに取り付けられる吸気管の下部空間を利用してコンパクトにレゾネータを装着することができる吸気装置に関するものである。
【０００２】
【従来の技術】
サージタンクを介してエンジンに連通する吸気管の途中にレゾネータを有する吸気装置については実開平１−１５９１２５号公報で公知である。前記公報によれば、所定方向に延びて設けられたサージタンクと、該サージタンクの所定方向に向かって側方の面から分岐し湾曲してから各シリンタに連通する第１独立吸気通路と、上記第１独立吸気通路の湾曲部の内側に形成された容積室と、該容積室と上記第１独立吸気通路の途中とを連通する第２独立吸気通路と、該第２独立吸気通路を開閉する制御弁とを備えたエンジンの吸気装置を前提とする。
【０００３】
そして、これに対し、上記サージタンクの所定方向の一端に開口しサージタンクに吸気を導く吸気導入口と、上記サージタンクと容積室とを連通する連通路とを設ける。そして、該連通路をサージタンク内においてサージタンクの延びる方向に沿いかつ第１独立吸気通路の湾曲部の内側に寄せて設ける。また、該連通路のサージタンクとの連通口を上記吸気導入口に対抗させて設ける。さらに、連通路の下流端とサージタンクの下流端との間にサージタンク下流端側の第１独立吸気通路が開口する空間部を設ける構成としたものである。上記構成により、本考案では、制御弁をエンジン回転数に応じて開閉して容積室と各第１独立吸気通路との連通、遮断を切り換えることによりエンジンの全回転域で吸気の動的効果つまり吸気慣性効果が高まって充填効率が向上するとしている。
【０００４】
【発明が解決しようとする課題】
しかしながら、エンジンが傾斜して搭載される、いわゆる、スラントエンジンに上述の従来型吸気装置を装着する場合は、吸気装置の湾曲部がかさ高となりエンジン全体の高さが高くなって搭載性が著しく損なわれる。特に、搭載性を上げるためにエンジンが傾斜されたスラントエンジンの特性が生かされなくなることになる。そこで本発明は、スラントエンジンに搭載しても搭載性を損なうことのない、コンパクトにレゾネータを装着することができる吸気装置を提供することを課題とするものである。
【０００５】
【課題を解決するための手段】
前記課題の解決を目的としてなされた請求項１の発明は、アッパシェルおよびロワシェルならびにミドルシェルの３ピースから成る吸気装置であって、前記ミドルシェルの上部に前記アッパシェルを溶着することによりサージタンクおよび吸気管を形成し、前記ミドルシェルの下部に前記ロワシェルを溶着することにより連通管および容積室とで構成されるレゾネータを形成するとともに、前記サージタンクと前記レゾネータとを連通する連通路に設けられた開閉弁により前記連通路を開閉するようにしたことを特徴とする。
【０００６】
【発明の実施の形態】
本発明の望ましい実施形態について図面を参照して説明する。図１は本発明の一実施形態に係る吸気装置の縦断面図、図２はその吸気装置の下面図、図３はその吸気装置のロアシェルを外した状態を示す下面図である。図１において、吸気装置１の主要部を構成する合成樹脂製のミドルシェル２の上側には、合成樹脂製のアッパシェル３が溶着面で溶着され、サージタンク４およびサージタンク４から分岐する３本の吸気管５ａ、５ｂ、５ｃが形成されている。３本の吸気管５ａ、５ｂ、５ｃはエンジン６に装着されるためのフランジ２ａに連通している。なお、本実施形態においては３気筒エンジンに使用される吸気装置を例示しているため吸気管は３本である。
【０００７】
また、ミドルシェル２の下側は合成樹脂製のロアシェル７が溶着面で溶着され、連通管８および容積室９とで構成されるレゾネータ１０およびバキュームタンク１１が形成されている。サージタンク４とレゾネータ１０を隔てるミドルシェル２には連通路１２が穿設され、連通路１２には開閉弁１３が設けられている。開閉弁１３はエンジン６の特定回転数域に対応して開閉するよう構成されており、サージタンク４とレゾネータ１０とを連通・閉鎖する。バキュームタンク１１には２つの連通孔（図示せず）が設けられ、一方の連通孔がサージタンク内に開口しもう一方の連通孔がエンジンの吸気管圧力（負圧）源を必要とする機器に連通されている（図示せず）。
【０００８】
次に、ミドルシェル２の下側の構成について図３を参照して説明する。図３において、ミドルシェル２の下側には略同一幅の溶着ライン２ｂにより部屋および通路が形成されている。連通路１２からＳ字状の通路２ｃが延びロアシェル７の溶着により連通管８が形成される、通路２ｃの終端は部屋２ｄに繋がりロアシェル７の溶着により容積室９が形成される。連通路１２の上側には部屋２ｅが形成されておりロアシェル７の溶着によりバキュームタンク１１が形成される。
【０００９】
次に、本実施形態の作用について説明する。一般にエンジンはそのエンジンの特定回転数において出力が低下する回転数域を有する。これはその吸気系の形状（例えば、吸気管内径、吸気管長さ、途中の空間部容積等）により吸気管内の圧力波の干渉により引き起こされると考えられている。本実施形態は前記特定回転数域において開閉弁１３を開き吸気管５およびサージタンク４の容積をレゾネータ１０の容積分だけ増大させる。これにより吸気管５内で共鳴が発生するため、前記特定回転数域におけるエンジン出力の低下を抑制することができる。その他の回転数域においては開閉弁１３が閉じられるよう構成されているため、レゾネータ１０の容積の増大に伴うエンジン出力低下やレスポンスの低下を防止することができる。
【００１０】
上述の特定回転数域でのエンジン出力の低下が生じないエンジンにおいては、ロアシェル７の溶着を廃止し、連通路１２の穿ち加工を廃止するだけで吸気装置を提供することができるため、吸気装置の軽量化、低コスト化が図れる。特に、本実施形態においては、本体が傾斜した、いわゆる、スラントエンジンにおいては、吸気装置とエンジンとの隙間に生ずる空間を利用することができるため、エンジンの搭載性が向上する。また、連通管は自由に屈曲させることができるため、長い連通管もコンパクトに収容することができる。
【００１１】
【発明の効果】
本発明は上述のように構成されているので以下の効果を奏する。すなわち、エンジンの特定回転数域における出力低下を防止するためのレゾネータをコンパクトに収納することができるとともに、レゾネータが不要な場合は溶着工程を廃止することによりレゾネータを容易に省くことができ、軽量化、低コスト化が可能となる。
【図面の簡単な説明】
【図１】本発明の一実施形態に係る吸気装置の縦断面図である。
【図２】本発明の一実施形態に係る吸気装置の下面図である。
【図３】本発明の一実施形態に係る吸気装置のロワシェルを外した状態を示す下面図である。
【符号の説明】
１　　吸気装置
２　　ミドルシェル
３　　アッパシェル
４　　サージタンク
５ａ　吸気管
５ｂ　吸気管
５ｃ　吸気管
７　　ロアシェル
８　　連通管
９　　容積室
１０　　レゾネータ
１２　　連通路
１３　　開閉弁
【図１】
2004044562.tif 000003
【図２】
2004044562.tif 000004
【図３】
2004044562.tif 000005